(57)【特許請求の範囲】
【請求項１】
給油エリアに自動車へ燃料油を給油する給油機を設けた給油所において、前記給油エリアと異なる位置に自動車用のカーサービスエリアを設け、該カーサービスエリアに、アイランド上に立設される自動車用のカーサービス機器を一体に組み込んだサービスユニットとして、ホース途中に圧力計を設け、タイヤへのエアー充填を行うエアー充填ノズルと、吸引及びエアーを吐出して車内のゴミを清掃するエアーノズルと、ラジエータ液を供給する供給ノズルをサービスユニットの側面に吊り下げ、また、正面上方にバッテリー補充液、ウインドウッシャー液等のケミカルを陳列するディスプレイと、そのケミカルの下部に選択スイッチと、貨幣投入口と、ケミカル受取口を有する商品販売機を設け、その下方には灰皿を清掃する灰皿クリーナーと、ドライバー等のメンテナンス用の工具を収納する工具収納部とを備えたサービスユニットを設けたことを特徴とする給油所。
【発明の詳細な説明】
【０００１】
【発明の属する技術分野】
本発明は、自動車へガソリン等の燃料油を給油する給油所に関するものである。
【０００２】
【従来の技術】
かかる給油所では、給油を目的に来た自動車に１人の作業員が給油作業及び灰皿清掃、窓拭き、マット清掃、あるいはエアー充填等のサービス作業を行っていた。近年の給油所では人手を少なくするために、給油エリアで給油開始時に給油ノズルを自動車の給油口に挿入し、給油終了で給油ノズルを給油機に掛ける給油作業だけを作業員が行い、伝票を持って建物内で行う精算作業及びサービス作業は顧客自身で行う給油所が主流となってきている。
【０００３】
【発明が解決しようとする課題】
しかし、タイヤにエアーを充填したり、自動車内の清掃を行う機器は給油エリアに有ると邪魔なため、それぞれ異なる位置にある。そのため給油中に、機器を探しながら歩き回ったり、複数の作業が出来ないため充分な車内外の清掃及びメンテナンスが行えないという不都合がある。また、ラジエータ液が不足すると自
動車の故障を招き、タイヤのエアー圧が不足していると、事故を起こすなど安全上の問題がある。
【０００４】
本発明はこのような問題に鑑みてなされたものであって、その目的とするところは、カーサービスエリアを設けて自動車の清掃及びメンテナンスを十分に行える給油所を提供することである。
【０００５】
【課題を解決するための手段】
このような問題を解消するために本発明においては、給油エリアに自動車へ燃料油を給油する給油機を設けた給油所において、前記給油エリアと異なる位置に自動車用のカーサービスエリアを設け、該カーサービスエリアに、アイランド上に立設される自動車用のカーサービス機器を一体に組み込んだサービスユニットとして、ホース途中に圧力計を設け、
タイヤへのエアー充填を行うエアー充填ノズルと、吸引及びエアーを吐出して車内のゴミを清掃するエアーノズルと、ラジエータ液を供給する供給ノズルをサービスユニットの側面に吊り下げ、また、正面上方にバッテリー補充液、ウインドウッシャー液等のケミカルを陳列するディスプレイと、そのケミカルの下部に選択スイッチと、貨幣投入口と、ケミカル受取口を有する商品販売機を設け、その下方には灰皿を清掃する灰皿クリーナーと、ドライバー等のメンテナンス用の工具を収納する工具収納部とを備えたサービスユニットを設けたので、充分な自動車の清掃及びメンテナンスができ、自動車の故障やメンテナンス不備による事故を防止できる。
【０００６】
【発明の実施の形態】
以下、本発明の実施の形態を図面に基づいて説明する。図１は本発明の給油所を示す構成図、図２はカーサービスエリアに設けたサービスユニットを示す斜視図である。
【０００７】
図１に示すように、給油所１の中央部には給油機２が立設されたアイランド３が設けられ、給油機２の前後面にガソリン等の燃料油を自動車に給油する給油エリア４が形成されている。また、給油所１の一方の隅部には給油機２で給油された燃料油の代金を精算する建物５と、他方の隅部には顧客自身が自動車へのサービス作業を行うカーサービスエリア６が設けられている。
【０００８】
図２に示すようにカーサービスエリア６には複数の自動車用のカーサービス機器を一体に組み込んだサービスユニット７がアイランド８上に立設されている。カーサービス機器として例えば、ホース途中に圧力計９を設け、タイヤへのエアー充填を行うエアー充填ノズル１０と、吸引及びエアーを吐出して車内のゴミを清掃するエアーノズル１１と、ラジエータ液を供給する供給ノズル１２をサービスユニット７の側面に吊り下げている。また、サービスユニット７の正面上方にバッテリー補充液、ウインドウッシャー液等のケミカルを陳列するディスプレイ１３と、そのケミカルの下部に選択スイッチ１４と、貨幣投入口１５と、ケミカル受取口１６を有する商品販売機１７を設けている。その下方には灰皿を清掃する灰皿クリーナー１８と、ドライバー等のメンテナンス用の工具を収納する工具収納部１９が設けられている。
【０００９】
給油エリア２で給油を終了して建物５内で燃料油の精算を済ませた後に、自動車の清掃及びメンテナンスをするためにカーサービスエリア６に設けたサービスユニット７の前まで自動車を移動する。
【００１０】
まず、エアー充填ノズル１０を使用する場合について説明する。サービスユニット７の側面に吊り下げてあるエアー充填ノズル１０を取り出して、自動車のタイヤに設けられたエアーチューブに取り付けられたキャップを外し、エアー充填ノズル１０をエアーチューブに軽く押圧すると、現在のタイヤのエアー圧が圧力計９に表示される。設定圧より低い時には、エアー充填ノズル１０をエアチューブに強く押圧するとエアーがタイヤに充填され、その後、設定圧に達したことを圧力計９で確認したら、エアー充填ノズル１０をエアーチューブより取り外し、キャップを取り付けて順次他のタイヤにエアーを充填する。
【００１１】
次に、車内のゴミを清掃するエアーノズル１１を使用する場合について説明する。サービスユニット７の側面に吊り下げてあるエアーノズル１１を取り出して、エアーノズル１１に設けたスイッチの切り替えによって吸引させり、エアーを吹き出すことによって車内に落ちたゴミやシートの縫い目に挟まったゴミを除去する。
【００１２】
次に、ラジエータ液を供給する供給ノズル１２を使用する場合について説明する。自動車のラジエータのリザーブタンクの蓋を取り外して、開口部にサービスユニット７の側面に吊り下げてある供給ノズル１２を挿入し、レバーを引いてラジエータ液を供給する。リザーブタンクに規定量のラジエータ液が供給されたら
レバーを戻して開口部に蓋をして、供給ノズル１２をサービスユニット７に吊り下げる。
【００１３】
そして、前記作業の有無に関わらず、商品販売機１７で希望の商品を購入して自動車のメンテナンスに役立てることが出来る。また、灰皿クリーナー１８で灰皿を清掃したり、工具収納部１９より工具を取り出して保守点検をすることが出来る。
【００１４】
本発明は以上の実施例に限定されるものではなく、カーサービスエリア６にサービス作業専用の作業員を配置すれば、女性等の機器操作の不慣れな人へのサービス作業を行うことができ、給油所として油外収益の拡販に繋がる。
【００１５】
【発明の効果】
本発明に係る給油所は以上詳細に述べた如くであって、給油エリアに自動車へ燃料油を給油する給油機を設けた給油所において、前記給油エリアと異なる位置に自動車用のカーサービスエリアを設け、該カーサービスエリアにタイヤへのエアー充填を行うエアー充填ノズルと、自動車内の清掃を行うエアーノズルと、ラ
ジエータ液を供給する供給ノズルを組み込んだサービスユニットを設けたので、充分な自動車の清掃及びメンテナンスができ、自動車の故障やメンテナンス不備による事故を防止できる。
【図面の簡単な説明】
【図１】  本発明の給油所を示す構成図である。
【図２】  カーサービスエリアに設けたサービスユニットを示す斜視図である。
【符号の説明】
１  給油所
２  給油機
３  アイランド
４  給油エリア
５  建物
６  カーサービスエリア
７  サービスユニット
８  アイランド
９  圧力計
１０エアー充填ノズル
１１  エアーノズル
１２  供給ノズル
１３  ディスプレイ
１４  選択スイッチ
１５  貨幣投入口
１６  ケミカル受取口
１７  商品販売機
１８  灰皿クリーナー
１９  工具収納部
【図１】
0003997612.tif 000002
【図２】
0003997612.tif 000003